(57)【要約】【課題】表面が面一に揃った帯板材の強力な接合を容易迅速に行なうことができて、振動や衝撃による接合の緩みや外れを生ずることもない帯板材の接合構造を提供すること。【解決手段】帯板材を一側の裏側に突縁とかしめ片を有し、他側の裏側に突縁に係合する溝とかしめ片の受部を有する接合体を備えた構成として、該帯板材の複数を接合体の溝が突縁へ係合するように組み合わせてかしめ片をかしめることで接合する帯板材の接合構造であって、上記帯板材１の一側の裏側に備える突縁２は、１条または複数条が帯板材１から隆起するものであり、かしめ片３は受部５に対応する面にかしめ効果を高める凹凸７、８、９を形成したものであり、他側の裏側に備える接合体６は、上記突縁２に係合させる溝４と、上記かしめ片３の凹凸に係合させる凹凸１１、１２、１３とを形成したものであること。【選択図】図１
2007130652.tif 000002
【特許請求の範囲】
【請求項１】
帯板材を一側の裏側に突縁とかしめ片を有し、他側の裏側に突縁に係合する溝とかしめ片の受部を有する接合体を備えた構成として、該接合体の溝が突縁へ係合するように組み合わせてかしめ片をかしめることで接合する帯板材の接合構造であって、
上記帯板材の一側の裏側に備える突縁は、１条または複数条が帯板材から隆起するものであり、かしめ片は受部の対応面にかしめ効果を高める凹凸を形成したものであり、
他側の裏側に備える接合体は、上記突縁に係合させる溝と、上記かしめ片の凹凸に係合させる凹凸を形成したものである
ことを特徴とする帯板材の接合構造。
【請求項２】
１つの帯板材の一側の裏側に突縁とかしめ片を有し、別の帯板材の一側の裏側に突縁に係合する溝とかしめ片の受部を有する接合体を備えた構成として、上記２つの帯板材を接合体の溝が突縁へ係合するように組み合わせてかしめ片をかしめることで接合する帯板材の接合構造であって、
上記一方の帯板材の一側の裏側に備える突縁は、１条または複数条が帯板材から隆起するものであり、かしめ片は受部の対応面にかしめ効果を高める凹凸を形成したものであり、
上記他方の帯板材の一側の裏側に備える接合体は、上記突縁に係合させる溝と、上記かしめ片の凹凸に係合させる凹凸を形成したものである
ことを特徴とする帯板材の接合構造。
【請求項３】
上記突縁に上記接合体に設けた溝を係合させると、隣合う帯板材の側縁が密着するように突縁と溝が位置付けされている
ことを特徴とする請求項１又は２に記載の帯板材の接合構造。
【請求項４】
上記突縁の先端と上記接合体に設けた溝の底とを当接させると、隣り合う帯板材の表面が揃うように突縁と溝の高さが設定されている
ことを特徴とする請求項１〜請求項３のいずれかに記載の帯板材の接合構造。
【請求項５】
帯板材の側縁を接合する際に前後の重なり合いを生ずるように側縁を斜面に形成してある
ことを特徴とする請求項１〜請求項４の何れかに記載の帯板材の接合構造。
【請求項６】
上記接合体に設けたかしめ片の受部の一側に、かしめ片のかしめに際してその先端を先上がりに導く斜面と、この斜面を上がったかしめ片の先端を戻れないように落す段部と備える戻り止めを設けた
ことを特徴とする請求項１〜請求項５の何れかに記載の帯板材の接合構造。
【請求項７】
上記かしめ片の基部に、曲がる位置を規制するための凹部が形成されている
ことを特徴とする請求項１〜請求項６の何れかに記載の帯板材の接合構造。
【発明の詳細な説明】
【技術分野】
【０００１】
本発明は、帯板材を嵌合とかしめで接合する帯板材の接合構造に関する。
【背景技術】
【０００２】
従来、帯板材を接合する構造として、帯板材の一側端に略逆Ｊ形状をなす下はぜ部を形成し、他側端には前記したはぜの先端に略Ｖ形状をなす係止折曲片を付設した上はぜ部を形成して、両はぜ部を重ねて潰すことで帯板材を接合するものは、例えば特許文献１により知られており、また、接合する帯板材の一側端に第１の嵌合片を設け、他側端に第１の嵌合片を抱え込む第２の嵌合片を設けて、これら嵌合片を嵌合させた後、両社の当接部に設けた孔へねじを締めこんで、帯板材同士を密着させるようにするものは、例えば特許文献２により知られている。
【０００３】
しかしながら、上記はぜつぶし継ぎによるものは、接合の際に帯板材の表面を揃えることができないため、表面に不可避的に段差を生ずるものであって、帯板材の接合表面が一枚板のように面一であることが要求される掲示パネル等の接合には使用できないものであり、また、第１、第２の嵌合体を嵌合して、ねじの締め込みで圧着するものは、ネジの締め込みに手数が掛る上に、十分な圧着力を得ることが困難であって、しかも、振動や衝撃によりねじの緩みが起こると接合部に隙間を生じ易い問題点がある。
【特許文献１】特開平３−２２１６５５号
【特許文献２】実公平７−１７８４６号
【発明の開示】
【発明が解決しようとする課題】
【０００４】
本発明は上記問題点を解消し、表面が面一に揃った帯板材の強力な接合を容易迅速に行うことができて、振動や衝撃により接合の緩みや外れを生ずることもない帯板材の接合構造を提供することをその課題とする。
【課題を解決するための手段】
【０００５】
上記課題を解決するため、請求項１に係る発明は、帯板材を一側の裏側に突縁とかしめ片を有し、他側の裏側に突縁に係合する溝とかしめ片の受部を有する接合体を備えた構成として、該帯板材の複数を接合体の溝が突縁へ係合するように組み合わせてかしめ片をかしめることで接合する帯板材の接合構造であって、上記帯板材の一側の裏側に備える突縁は、１条または複数条が帯板材から隆起するものであり、かしめ片は受部に対応する面にかしめ効果を高める凹凸を形成したものであり、他側の裏側に備える接合体は、上記突縁に係合させる溝と、上記かしめ片の凹凸に係合させる凹凸を形成したものであることを特徴とする。
【０００６】
請求項２に係る発明は、１つの帯板材の一側の裏側に突縁とかしめ片を有し、別の帯板材の一側の裏側に突縁に係合する溝とかしめ片の受部を有する接合体を備えた構成として、上記２つの帯板材を接合体の溝が突縁へ係合するように組み合わせてかしめ片をかしめることで接合する帯板材の接合構造であって、上記一方の帯板材の一側の裏側に備える突縁は、１条または複数条が帯板材から隆起するものであり、かしめ片は受部の対応面にかしめ効果を高める凹凸を形成したものであり、上記他方の帯板材の一側の裏側に備える接合体は、上記突縁に係合させる溝と、上記かしめ片の凹凸に係合させる凹凸を形成したものであることを特徴とする。
【０００７】
請求項３に係る発明は、上記突縁に上記接合体に設けた溝を係合させると、隣合う帯板材の側縁が密着するように突縁と溝が関係付けられていることを特徴とする。
【０００８】
請求項４に係る発明は、上記突縁の先端と上記接合体に設けた溝の底とを当接させると、隣り合う帯板材の表面が揃うように突縁と溝の高さが設定されていることを特徴とする。
【０００９】
請求項５に係る発明は、帯板材の側縁を接合する際に前後の重なり合いを生ずるように側縁を斜面に形成してあることを特徴とする。
【００１０】
請求項６に係る発明は、上記接合体に設けたかしめ片の受部の一側に、かしめ片のかしめに際してその先端を先上がりに導く斜面と、この斜面を上がったかしめ片の先端を戻れないように落す段部と備える戻り止めを設けたことを特徴とする。
【００１１】
請求項７に係る発明は、上記かしめ片の基部に、曲がる位置を規制するための凹部が形成されていることを特徴とする。
【発明の効果】
【００１２】
請求項１又は請求項２に係る発明によれば、一方の帯板材に設けた突縁へ、他方の帯板材に設けた接合体の溝を嵌めてかしめ片のかしめを行うと、簡便迅速に帯板材の接合ができて、しかも、この際、突縁と接合体の溝との係合によって隣り合う帯板材の側縁を密着状態にするとともに、帯板材の表面を段差が生じないように揃えて面一にするので、帯板材の幅方向の引っ張りに対する強度も強く、一枚板のような表面状態を有する掲示パネル等を形成することができる。
【００１３】
請求項３に係る発明によれば、突縁に接合体に設けた溝を係合させてかしめ片のかしめを行うと、隣り合う帯板材の側縁が密着して相互間に隙間を生じないため、接合によっても一枚板のような外観の掲示板等を形成することができる。
【００１４】
請求項４に係る発明によれば、突縁の先端に接合体に設けた溝の底を当ててかしめ片のかしめを行うと、隣り合う帯板材の表面が面一の状態に揃って、一枚板と同様の平面状態の掲示板等が得られる。
【００１５】
請求項５に係る発明によれば、隣り合う帯板材の側縁を斜面に形成すると、接合により斜面が前後に重なって表側からは隙間が見えないようにして構成される掲示板などの見栄えをよくする。
【００１６】
請求項６に係る発明によれば、かしめ片のかしめを行なうとき、かしめ片を斜面の作用で段部を越える位置に導き、かしめ終わるときは断部に落として戻りを止めるので、かしめが戻ることによる接合不良を生ずることがない。
【００１７】
請求項７に係る発明によれば、かしめ片のかしめを行なうとき、かしめ片は凹部の位置から必ず曲って計画通りのかしめ効果を確実に上げることができる。
【発明を実施するための最良の形態】
【００１８】
以下に本発明に係る帯板材の接合構造の実施形態を図面について説明する。
【実施例１】
【００１９】
図１〜図３は帯板材の接合構造の第１の実施形態を示すものであり、この形態の帯板材の接合構造は、図において符号Ａで示され、帯板材１を一側の裏側に突縁２とかしめ片３を有し、他側の裏側に突縁２に係合する溝４とかしめ片３の受部５を有する接合体６を備えた構成として、該帯板材１の複数を接合体６の溝４が突縁２へ係合するように組み合わせ、かしめ片３をかしめることで接合するものである。
【００２０】
上記帯板材１は、図３に示す通り裏側の一側に突縁２とかしめ片３を有し、他側の裏側に突縁２に係合する溝４とかしめ片３の受部５を有する接合体６を備えるようにアルミニウム等の押出し成形によって形成するものであって、上記突縁２は、図２（ａ）（ｂ）（ｃ）に示す通り側縁１４の後側へ適当な高さで隆起するように設けられ、かしめ片３は帯板材１の突縁２より少し離れた位置から突出して、先側ほど突縁２より離れる傾きを有するように設けられて、このかしめ片３の突縁２に対応する面の基部と先端側には凹部７と凹部８を形成し、中間部には凸部９を形成するとともに、凹部７の付根部にはかしめ片３をかしめ易くする切込１０を形成する。また、上記接合体６は、図２（ａ）（ｂ）（ｃ）に示す通り側縁１５の後側へ側縁１５よりも外側へ出張るように連設して、表面側に上記突縁２を係合させる溝４を形成し、外側のかしめ片の受部５にかしめ片３に設けた凹部７、８と凸部９とを係合させる凸部１１、１２と凹部１３とを形成してある。
【００２１】
また、上記帯板材１の一方の側縁１４は、図２に示す通り例えば迎角４５度の傾斜面とし、他方の側縁１５は例えば俯角４５度の傾斜面として、帯板材１を接合する際に側縁１４と１５の傾斜面が前後に重なり合うようにするとともに、帯板材１の裏面の中央部には、図３に示す通り鉤形をなすリブ１６を対向して一対設けて、これらリブ１６によって帯板材１の補強と他の物への取り付けが行われるようにする。
【００２２】
更に、上記帯板材１を図７に示す通り、支柱１７で所要の高さに掲出する掲示パネル１８の構成に用いる場合は、帯板材１の表面に図１に示す通り細かい凹凸筋１９を形成することで、ポスター、広告、その他を貼付するとき、凹凸筋１９で空気を逃がすことができるため、空気の閉じ込めを生じない貼り付けができて、不用になった際の剥ぎ取りも容易にできる。
【００２３】
上記構成の帯板材接合構造Ａは、図２（ａ）に示す通り一方の帯板材１が側端部に接合体６を設けられ、他方の帯板材１が側端部に突縁２とかしめ片３を設けられているから、図２（ｂ）に示す通り一方の帯板材１に設けた突縁２を、他方の帯板材１に設けた接合体６に形成される溝４へ嵌合して、突縁２の先端を溝４の底へ当接させれば、一方の帯板材１の側縁１４と他方の帯板材１の側縁１５とが密着するとともに、両帯板材１、１の表面が面一に揃えられるので、この状態においてかしめ片３を接合体６に設けた受部５へかしめ付ければ、かしめ片３の内側の凹部７、８と凸部９が接合体６の受部５に形成した凸部１１、１２と凹部１３に係合して、これら凹凸部の係合はかしめ片３を拘束して強力で安定した帯板材１、１の接合を行うものであり、また、かしめ後にかしめ片３へ図１に鎖線で示す通りかしめポンチ２０を打ち込み、かしめ片３に所定の間隔で凹み２１を形成するようにすれば、帯板材１の接合を一層強化することができるものであって、この接合構造を利用した帯板材１の接合は、帯板材１の必要数を一枚板のように接合して例えば図７に示す通りの掲示パネル１８等を構成するのに好適である。
【００２４】
図４〜図６は帯板材の接合構造Ａの第２の実施形態を示すものであって、この帯板材の接合構造Ａは、図において符号Ａで示されて、帯板材１を側縁部の一側の裏側に突縁２とかしめ片３を有し、他側の裏側に突縁２に係合する溝４とかしめ片３の受部５を有する接合体６を備えた構成として、該帯板材１の複数を接合体６の溝４が突縁２へ係合するように組み合わせ、かしめ片３をかしめることで接合する構成は請求項１に係る帯板材の接合構造Ａと同じである。しかしながら、帯板材１に対するかしめ片３と接合体６の配置と形状は相違する。
【００２５】
この実施形態の帯板材１は、図６に示す通り裏側の一側に突縁２とかしめ片３を有し、他側の裏側に突縁２に係合する溝４とかしめ片３の受部５とを有する接合体６を備えるようにアルミニウム等の押出し成形によって形成すものであって、上記突縁２は、図５（ａ）（ｂ）（ｃ）に示す通り側縁１５を兼ねた１つと、この突縁２より内側で帯板材１から隆起する突縁２の２個を設け、かしめ片３は、内側の突縁２よりも内側で接合部３ａによって帯板材１と接合して、上記突縁２、２と先上がりに傾いた状態で対向するように設けられて、内側に２つの凸部９、９を離隔して形成する。また、接合体６は接合部６ａによって側縁１５に接続されて側縁１４より外側へ突出するように設けられ、かしめ片３の受部５となる裏側の部分にかしめ片の凸部９、９を係合させる１を凹部１３、１３を形成し、反対の表側には突縁２、２を係合させる溝４、４を形成してある。
【００２６】
また、帯板材１の一方の側縁１４と他方の帯板材１の側縁１５は、図４、図５に示す通り直角に形成して、帯板材１を接合すると両側縁が当接するようにし、帯板材１の裏面の中央部には、図５に示す通り鉤形をなすリブ１６を対向して一対設け、これらのリブ１６によって帯板材１の補強と他の物への取り付けが行われるようにし、また、上記かしめ片３の接合部３ａと、接合体６の接合部体６ａの外側にはそれぞれリブ２２と２３を付設して側縁部の補強を行わせ、更に、接合体６の接合部６ａの内側には、図４に示す通り先上がりの斜面２４ａとその後端に設けた段落部２４ｂとで構成されるかしめの戻り止め部材２４を設けてある。
【００２７】
上記構成の帯板材接合構造Ａは、図５（ａ）に示す通り一方の帯板材１が側端部に接合体６を設けられ、他方の帯板材１が側端部に突縁２、２とかしめ片３を設けられているから、図２（ｂ）に示す通り一方の帯板材１に設けた突縁２、２を、他方の帯板材１に設けた接合体６に形成される溝４、４へ嵌合して、側縁１４を兼ねた突縁２の先端を溝４の底へ当接させれば、一方の帯板材１の側縁１４と他方の帯板材１の側縁１５とが密着するとともに、両帯板材１、１の表面が面一に揃えられるので、この状態においてかしめ片３を接合体６に設けた受部５へかしめ付ければ、かしめ片３の内側の凸部９、９が接合体６の受部５に設けた凹部１３、１３へ係合して、この係合によりかしめ片３を拘束して強力で安定した帯板材１、１の接合を行うものであり、また、かしめ後に図１と同様にかしめ片３側からかしめポンチの打ち込みによって凹みを形成すれば、帯板材１の接合を一層強化することができるものであって、この接合構造を利用した帯板材１の接合も、帯板材１の必要数を一枚板のように接合して例えば図７に示す通りの掲示パネル１８等を構成するのに好適である。
【００２８】
なお、上述の実施形態は、同じ帯板材の一側に突縁とかしめ片、他側に接合体を設けたものであるが、本発明はこれに限定されない。図８に示されるように、２つの帯板材１ａ、１ｂの一方に突縁２とかしめ片３とを形成し、他方に突縁２に係合する溝４とかしめ片３の受部５を有する接合体６を設ける構成であってもよい。これによれば、図７の掲示パネルの上下両端部の一方の帯板材の一側に突縁とかしめ片とを形成し、他方の帯板材の裏側に突縁に係合する溝とかしめ片の受部を有する接合体を設ける構成として端部処理をすることができる。
【産業上の利用可能性】
【００２９】
本発明に係る帯板材の接合構造は、複数の帯板材が一枚板のように接合されることが要求されて掲示パネルやこれに類したものの製造に利用できる。
【図面の簡単な説明】
【００３０】
【図１】本発明に係る帯板材の接合構造の第１の実施形態による帯板材接合の一部分を示す端面図
【図２】（ａ）（ｂ）（ｃ）同上接合構造によって帯板材を接合する状態の説明図
【図３】同上接合構造による接合に適した帯板材の一部分を示す斜視図
【図４】本発明に係る帯板材の接合構造の第２の実施形態による帯板材接合の一部分を示す端面図
【図５】（ａ）（ｂ）（ｃ）同上接合構造によって帯板材を接合する状態の説明図
【図６】同上接合構造による接合に適した帯板材の一部分を示す斜視図
【図７】同上接合構造により接合した帯板材で構成した掲示パネルの斜視図
【図８】同上接合構造を２枚の帯板材で実施する例を示す斜視図
【符号の説明】
【００３１】
Ａ  帯板材の接合構造
１  帯板材
２  突縁
３  かしめ片
４  溝
５  かしめ用の受部
６  接合体
７、８  凹部
９  凸部
１１、１２  凸部
１３  凹部
【図１】
2007130652.tif 000003
【図２】
2007130652.tif 000004
【図３】
2007130652.tif 000005
【図４】
2007130652.tif 000006
【図５】
2007130652.tif 000007
【図６】
2007130652.tif 000008
【図７】
2007130652.tif 000009
【図８】
2007130652.tif 000010